(57)【要約】      （修正有）【課題】フラスコを空間的に効率良く、かつ容易に、固定でき、さらに固定後の持ち運びによる振動などによってフラスコが脱落しない程度に確実に固定できるフラスコ用収納具を提供する。【解決手段】支柱１と、該支柱の両端部のそれぞれにほぼ垂直に連結された底板４および天板７と、支柱の中央から天板よりの位置で支柱から放射状に突き出して設置された上部保持部、支柱の中央から底板よりの位置で支柱から放射状に突き出して設置された下部保持部とからなり、上部保持部または下部保持部にフラスコの首部を保持し、且つ上部保持部と天板との間または下部保持部と底板との間にフラスコの胴部を挟むことによって、天板と底板との間に複数のフラスコを互い違いの向きで収納する。【選択図】図２
2011240208.tif 000002
【特許請求の範囲】
【請求項１】
支柱と、
該支柱の両端部のそれぞれにほぼ垂直に連結された底板および天板と、
支柱の中央から天板よりの位置で支柱から放射状に突き出して設置された上部保持部と、
支柱の中央から底板よりの位置で支柱から放射状に突き出して設置された下部保持部とからなり、
上部保持部または下部保持部にフラスコの首部を保持し、且つ上部保持部と天板との間または下部保持部と底板との間にフラスコの胴部を挟むことによって、天板と底板との間に複数のフラスコを互い違いの向きで収納することができる、フラスコ用収納具。
【発明の詳細な説明】
【技術分野】
【０００１】
本発明は、フラスコをコンパクトに収納することができるフラスコ用収納具に関する。
【背景技術】
【０００２】
フラスコは化学実験で使う口の小さい容器で、蒸留や攪拌等に用いられる。フラスコは主としてガラスや樹脂でできている。溶液を正確に計量するために用いるメスフラスコ、アルコールランプで加熱するのに適する丸底フラスコや、ナスフラスコ、机の上に固定しておくことができる三角フラスコ、平底フラスコ、三ツ口フラスコ、セパラブルフラスコ、微生物培養時に通気を確保できる坂口フラスコ、バッフル付きフラスコなどがある。
これらのうち、高さに対して底部が小さく、机上に固定して置くことができないフラスコは、転がったり、倒れたりする上に、収納時にかさばるなどの不具合がある。
【０００３】
フラスコの収納器具として、例えば、特許文献１には、台座に支持される支柱と、該支柱に放射状に突出して固定され、倒立した各フラスコの胴部をそれぞれ支持する複数の環状支持部とを有し、各環状支持部は前記支柱の周方向に対して相互に異なる位置であって、多段に配置されるように設けられたフラスコ用支持具が開示されている。
特許文献２には、フラスコの底部を搭載するための基板と、前記基板の両端に設けられた複数の支持棒と、前記基板に対して平行に支持されるとともに、フラスコの首部を受け入れる保持部を有する梁と、を有するフラスコホルダが開示されている。
特許文献３には、フラスコを載置するための底板上に、フラスコの頸部の直径より若干小さな巾から成る挟持部を弾性材で形成し、この挟持部に対して前方からフラスコの頸部を挟み込み自在に構成したことを特徴とする小容量フラスコラックが記載されている。
【先行技術文献】
【特許文献】
【０００４】
【特許文献１】特開２００３−１４４９４１号公報
【特許文献２】特開２００８−２２１１８９号公報
【特許文献３】実開平０５−０８８６３２号公報
【発明の概要】
【発明が解決しようとする課題】
【０００５】
これら特許文献１〜３に記載の収納具は、収納できるフラスコの数が少ない割には、収納時に占有する空間が大きく、かさばる。
そこで、本発明は、フラスコを空間的に効率良く、かつ容易に、固定でき、さらに固定後の持ち運びによる振動などによってフラスコが脱落しない程度に確実に固定できるフラスコ用収納具を提供することを目的とする。
【課題を解決するための手段】
【０００６】
本発明者は、上記目的を達成するために検討した結果、  支柱と、  該支柱の両端部のそれぞれにほぼ垂直に連結された底板および天板と、  支柱の中央から天板よりの位置で支柱から放射状に突き出して設置された上部保持部と、  支柱の中央から底板よりの位置で支柱から放射状に突き出して設置された下部保持部とからなり、  上部保持部または下部保持部にフラスコの首部を保持し、且つ上部保持部と天板との間または下部保持部と底板との間にフラスコの胴部を挟むことによって、天板と底板との間に複数のフラスコを互い違いの向きで収納することができるフラスコ用収納具によって、フラスコを空間的に効率良く、かつ容易に、固定でき、さらに固定後の持ち運びによる振動などによってフラスコが脱落しない程度に確実に固定できることを見出した。本発明は、この知見に基づいて完成するに至ったものである。
【０００７】
すなわち、本発明は、下記の解決手段を採用する。
本発明のフラスコ用収納具は、支柱と、該支柱の両端部のそれぞれにほぼ垂直に連結された底板および天板と、支柱の中央から天板よりの位置で支柱から放射状に突き出して設置された上部保持部と、支柱の中央から底板よりの位置で支柱から放射状に突き出して設置された下部保持部とからなるものである。
【０００８】
そして、本発明のフラスコ用収納具は、上部保持部または下部保持部にフラスコの首部を保持し、且つ上部保持部と天板との間または下部保持部と底板との間にフラスコの胴部を挟むことによって、天板と底板との間に複数のフラスコを互い違いの向きで収納することができる。
【０００９】
本発明のフラスコ用収納具を構成する支柱は、棒状の部材である。
支柱の形状は、円柱状であっても角柱状であってもよいが、円柱状であることが好ましい。支柱の内側は、空洞であっても中実であってもよい。軽量化の観点で空洞であることが好ましい。
支柱の長さは、収納するフラスコの高さと略等しいかそれ以上であれば特に限定されない。支柱の直径は、フラスコの収納容積を大きくする観点から、機械的強度が許す限り、細い方が好ましい。例えば、支柱の直径は、１０〜１５ｍｍとすることができる。図１では、支柱は１本であるが、複数本の細い棒からなる支柱であっても良い。例えば、三本の細い棒部材を各棒部材の軸心を相互に結んだ線が正三角形となるように平行に配置した支柱などが挙げられる。
【００１０】
支柱の材質は、構成部材および収納するフラスコを支持できる強度を有するものであれば特に限定されない。例えば、鋼材、鋼材にニッケルメッキ等を施したもの、黄銅、ステンレス鋼、およびニッケルなどの金属；塩化ビニール樹脂、ポリプロピレン樹脂、ポリアセタール樹脂、およびフッ素樹脂などの樹脂；および木材などが挙げられる。中でも、フラスコを傷つけない柔らかさを有する観点で、樹脂および木材が好ましく、成形のし易さの観点から樹脂がより好ましい。
【００１１】
本発明のフラスコ用収納具を構成する底板および天板は、板状の部材である。なお、本発明の理解のために天板と底板とを区別しているが、天板と底板とは実質的に同じものであってもよい。すなわち、本発明のフラスコ用収納具の天地をひっくり返すことによって、天板が底板に、底板が天板になることもある。
【００１２】
底板および天板は、支柱の両端部のそれぞれにほぼ垂直に連結される。底板および天板は、支柱に固定されていてもよいし、支柱を軸として回転可能であってもよい。底板または天板は、下部保持部または上部保持部と相まってフラスコの胴部を挟むことができる。支柱は、底板または天板を突き抜けていても良いが、突き抜けている場合には、例えば、底板または天板の外側面に点状の突起部を少なくとも３点設けて脚部としたり、または張り出し部分を外側に湾曲させて脚部としたりすることが、フラスコ用収納具の設置安定性を増すために好ましい。また、張り出し部分の内側面の保持部の位置に対応する位置に、フラスコの口に挿入可能な棒状突起を設けることができる。保持部にフラスコの首部を差し込んだ後、該棒状突起をフラスコの口で被せるようにすると、フラスコの収納安定性が増す。
【００１３】
底板または天板が大きすぎると、フラスコの胴部を上部保持部と天板との間または下部保持部と底板との間に入れる際に、底板または天板が邪魔になる場合がある。底板または天板が小さすぎると、フラスコの胴部を上部保持部と天板との間または下部保持部と底板との間に挟んだ状態での収納安定性が低くなる場合があり、またフラスコ用収納具自体が転倒する場合がある。
【００１４】
底板および天板は、上記のような不具合が生じない大きさおよび形状であれば、特に制限されないが、底板または点板の中心点から放射状に引き込み部分と張り出し部分とを有する形状のものが好ましい。
底板および天板が引き込み部分と張り出し部分とを有することによって、フラスコの胴部を上部保持部と天板との間または下部保持部と底板との間に挿入する際には、引き込み部分を通して行うことができる。フラスコの胴部を上部保持部と天板との間または下部保持部と底板との間に挟んで固定している際には、張り出し部分を使用することができる。底板または天板が引き込み部分と張り出し部分とを有するものである場合には、支柱に回転可能に連結することが好ましい。フラスコの胴部を入れる際とフラスコ胴部を挟む際とにおいて、底板または天板を回転させて、引き込み部分または張り出し部分のそれぞれが持つ機能を使い分けることができる。
【００１５】
支柱から引き込み部分の外縁までの距離（以下、「引き込み部分の半径」ということがある。）は、フラスコの胴部を上部保持部と天板との間または下部保持部と底板との間に入れる際に、底板または天板が邪魔にならない程度の大きさであれば、特に限定されない。例えば、引き込み部分の半径は、支柱の半径とフラスコの胴部直径との和に対して０．３〜０．６倍の大きさにすることができる。
【００１６】
一方、支柱から張り出し部分の外縁までの距離（以下、「張り出し部分の半径」ということがある。）は、フラスコ用収納具が安定的に自立する程度の大きさであれば、特に限定されない。例えば、張り出し部分の半径は、支柱の半径とフラスコの胴部の直径との和に対して０．６〜１．１倍の大きさにすることができる。
【００１７】
引き込み部分と張り出し部分とを有する底板または天板の形状は特に限定されない。例えば、図３（２）または図３（３）に示すような、正三角形の外接円形状の板に該三角形の傍接円形状の欠けが３つあるような形状のものが挙げられる。
【００１８】
本発明のフラスコ用収納具を構成する上部保持部または下部保持部は、フラスコの首部を保持できるものである。上部保持部または下部保持部は、支柱の中央から天板よりの位置または支柱の中央から底板よりの位置で、支柱から放射状に突き出して設置されている。
【００１９】
上部保持部または下部保持部の形状はフラスコの首部を保持することができれば特に限定されない。例えば、図３（４）または図３（５）に示すような環形状のものが放射状に突き出たものであってもよいし、Ｃ字形状のものが放射状に突き出たものであってもよい。
【００２０】
環形状の部分またはＣ字形状の部分の内径は、フラスコの首部を保持することができ、フラスコの胴部が通過しない程度の大きさであることが好ましい。
環形状の部分またはＣ字形状の部分の中心点と支柱中心軸との距離は、特に限定されない。例えば、フラスコを収納したときに、フラスコの首部が支柱に対して略平行となる程度にするのが好ましい。
【００２１】
また、上部保持部と天板との間隔若しくは下部保持部と底板との間隔が、フラスコの胴部の大きさに応じて変更できるように、上部保持部若しくは下部保持部を支柱の長手方向でスライドできるようにしてもよい。
【００２２】
上部保持部または下部保持部の材質は特に限定されない。例えば、鋼材、鋼材にニッケルメッキ等を施したもの、黄銅、ステンレス鋼、およびニッケルなどの金属；塩化ビニール樹脂、ポリプロピレン樹脂、ポリアセタール樹脂、およびフッ素樹脂などの樹脂；および木材などが挙げられる。中でも、フラスコを傷つけない柔らかさを有する観点で樹脂および木材が好ましく、フラスコを弾性により確実に固定できる観点で樹脂がより好ましい。
【００２３】
底板の引き込み部分および張り出し部分、天板の引き込み部分および張り出し部分、上部保持部のフラスコの首部を保持する部分、ならびに下部保持部のフラスコの首部を保持する部分の、数及び配置は、収納するフラスコの数に応じて適宜選択できるが、フラスコを収納したときのフラスコ用収納具の重量バランスを考慮して、それぞれが対称な配置となるように選択することが好ましい。また、上部保持部と下部保持部または天板と底板は、図１に示すような互い違いになるように配置することが好ましい。
【００２４】
例えば、収納するフラスコの数が４個の場合は、支柱の中心軸を中心にして、底板の引き込み部分を０度および１８０度の位置に、底板の張り出し部分を９０度および２７０度の位置に、天板の引き込み部分を９０度および２７０度の位置に、天板の張り出し部分を０度および１８０度の位置に、上部保持部のフラスコの首部を保持できる手段を９０度および２７０度の位置に、下部保持部のフラスコの首部を保持できる手段を０度および１８０度の位置に、それぞれ配置することができる。
【００２５】
また、収納するフラスコの数が６個の場合は、支柱の中心軸を中心にして、底板の引き込み部分を０度、１２０度および２４０度の位置に、底板の張り出し部分を６０度、１８０度および３００度の位置に、天板の引き込み部分を６０度、１８０度および３００度の位置に、天板の張り出し部分を０度、１２０度および２４０度の位置に、上部保持部のフラスコの首部を保持できる手段を６０度、１８０度および３００度の位置に、下部保持部のフラスコの首部を保持できる手段を０度、１２０度および２４０度の位置に、それぞれ配置することができる。これらのうち、フラスコ用収納具の占有体積当たりのフラスコ収納数が最大となるという観点から、収納するフラスコの数が６個の場合の前記配置が好ましい。
【００２６】
本発明のフラスコ用収納具にフラスコを収納する方法は、次のとおりである。
一のフラスコの首部を、底板側から下部保持部の環形状部分等に斜めに差し込み、下部保持部にフラスコの肩部が触れる程度までにする。そして、フラスコの胴部を下部保持部と底板との間に挿入し、フラスコを支柱に略平行となるようにすることで、フラスコの胴部が下部保持部と底板との間に挟まれるようにする。次に、別のフラスコの首部を、天板側から上部保持部の環形状部分等に斜めに差し込み、上部保持部にフラスコの肩部が触れる程度までにする。そして、フラスコの胴部を上部保持部と天板との間に挿入し、フラスコを支柱に略平行となるようにすることで、フラスコの胴部が上部保持部と天板との間に挟まれるようにする。このようにして、フラスコ用収納具の天板と底板との間に複数のフラスコを互い違いの向きで収納することができる。
【発明の効果】
【００２７】
本発明のフラスコ用収納具は、フラスコを空間的に効率良く、かつ容易に、固定でき、さらに固定後の持ち運びによる振動などによってフラスコが脱落しない程度に確実に固定できる。
【図面の簡単な説明】
【００２８】
【図１】本発明のフラスコ用収納具の一実施形態の概要を示す斜視図である。
【図２】本発明のフラスコ用収納具にフラスコを収納した状態を説明するための斜視図である。
【図３】本発明のフラスコ用収納具の一実施形態の概要を示す各部材の上面図である。
【発明を実施するための形態】
【００２９】
本発明の好適な実施の形態について、図面に基づいて詳細に説明する。
図１は本発明のフラスコ用収納具の一実施形態の概要を示す斜視図、図２は本発明のフラスコ用収納具にフラスコを収納した状態を説明するための斜視図である。図３は本発明のフラスコ用収納具の一実施形態の概要を示す各部材の上面図であり、図３（１）は支柱、図３（２）は底板、図３（３）は天板、図３（４）は下部保持部、図３（５）は上部保持部を示している。
【００３０】
本実施形態におけるフラスコ用収納具は、収納するフラスコの最大数が６個のものである。
本実施形態におけるフラスコ用収納具は、支柱１、底板、天板、上部保持部８、および下部保持部１０により構成される。
本実施形態における支柱１は、樹脂製の円柱で、その内側は空洞になっている。支柱の長さは、収納するフラスコの高さよりわずかに長くなっている。
【００３１】
本実施形態における底板および天板は、正三角形の外接円に該正三角形の傍接円形状の欠けを有する形をした樹脂製板である。また、底板および天板は、支柱１の末端部に垂直に連結されている。
【００３２】
底板の引き込み部分３または天板の引き込み部分６は、フラスコを収納する際に邪魔にならないようにするために、フラスコの胴部が通過するのに十分な大きさになっている。フラスコの首部を底板側または天板側から斜めに差し込み、次いでフラスコを支柱に略平行にするとフラスコの底の一部が引き込み部分３または引き込み部分６に引っ掛かって、フラスコを固定することができるようになる。
【００３３】
底板の張り出し部分４または天板の張り出し部分７の半径は、支柱１の半径とフラスコの胴部の直径との和にほぼ等しい値になっている。張り出し部分４により、フラスコ用収納具が転倒しない程度の安定性が確保される。
【００３４】
本実施形態における上部保持部８または下部保持部１０は、支柱の中央から天板よりの位置若しくは支柱の中央から底板よりの位置で、支柱から三方に均等に放射状に突き出して設置されてなる樹脂製の部材である。突き出ている部分９または１１は環形状を成している。上部保持部８と天板との間または下部保持部１０と底板との間は、フラスコの胴部をその間に挟むことができるに十分な距離をとっている。
【００３５】
天板の引き込み部分６または底板の引き込み部分３からフラスコ首部を傾けて差し込み、フラスコの首部を環形状部分９または１１に差し込み、フラスコの肩部が環形状部分に触れる程度になった状態でフラスコを支柱に平行になるようにし、フラスコの胴部を天板と環形状部分９との間または底板と環形状部分１１との間に嵌め込む。このようにして、図２に示すように、フラスコを、空間的に効率良く、かつ容易に、固定でき、さらに固定後の持ち運びによる振動などによってフラスコが脱落しない程度に確実に固定することができる。
【符号の説明】
【００３６】
１・・支柱
３・・底板の引き込み部分
４・・底板の張り出し部分
６・・天板の引き込み部分
７・・天板の張り出し部分
８・・上部保持部
９・・上部保持部の環形状部分
１０・・下部保持部
１１・・下部保持部の環形状部分
１２・・フラスコの胴部
１３・・フラスコの首部
１４・・フラスコの肩
１５・・フラスコの底
【図１】
2011240208.tif 000003
【図２】
2011240208.tif 000004
【図３】
2011240208.tif 000005